【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
複数の燃焼器組立体を含むガスタービンエンジンのための燃料供給システムであって、
第１の動作モードおよび第２の動作モードの間に、前記複数の燃焼器組立体の各々に燃料を継続的に供給するように構成されている一次燃料回路と、
前記第２の動作モードの間に、前記複数の燃焼器組立体の各々に燃料を供給するように構成されている少なくとも１つの二次燃料回路であり、二次マニホルドと複数の隔離弁とを含み、前記複数の隔離弁の各々が前記二次マニホルドと前記複数の燃焼器組立体の１つと流動連通して連結され、前記第１の動作モードの間に前記二次マニホルドは、前記一次燃料回路から隔離され、前記複数の隔離弁は、流体流が上流へ前記二次マニホルド内に入ることを阻止する、少なくとも１つの二次燃料回路と
を含む、燃料供給システム。
【請求項２】
前記複数の隔離弁の少なくとも１つは、随意に、受動制御型逆止め弁または能動制御型作動弁であり、コントローラが前記作動弁を制御するように構成されている、請求項１記載の燃料供給システム。
【請求項３】
前記少なくとも１つの隔離弁は、随意に、上流で前記二次燃料回路に連結されておりかつ前記複数の燃焼器組立体の各々に近接して連結されているか、または前記少なくとも１つの隔離弁は、前記少なくとも１つの隔離弁が前記複数の燃焼器組立体の各々の内部で少なくとも１つの二次燃料ノズルに連結されているように、前記複数の燃焼器組立体の各々と一体である、請求項１記載の燃料供給システム。
【請求項４】
前記一次燃料回路は、一次ステージ弁に連結されている一次マニホルドをさらに含み、前記二次回路は、二次ステージ弁に連結されている二次マニホルドをさらに含む、請求項１乃至３のいずれかに記載の燃料供給システム。
【請求項５】
前記二次ステージ弁は、前記第１の動作モードの間に、選択的に開いて、燃料が前記二次マニホルド内に流入することを可能にするように構成されており、前記少なくとも１つの隔離弁の各々は、前記第１の動作モードの間に、選択的に閉じて、前記二次マニホルドからの前記燃料流が前記複数の燃焼器組立体に入らないように構成されている、請求項４記載の燃料供給システム。
【請求項６】
前記二次ステージ弁は、前記第２の動作モードの間に、選択的に開いて、燃料が前記二次マニホルドへ流動することを可能にするように構成されており、前記少なくとも１つの隔離弁の各々が、前記第２の動作モードの間に、選択的に開いて、燃料が前記二次燃料回路を通って前記複数の燃焼器組立体の各々に流動することを可能にするように構成されている、請求項４記載の燃料供給システム。
【請求項７】
前記二次ステージ弁は、前記第２の動作モードから前記第１の動作モードへの移行中に、選択的に閉じて、前記二次マニホルドへの前記燃料流を阻止するように構成されており、前記少なくとも１つの隔離弁の各々は、選択的に閉じて、前記複数の燃焼器組立体から前記二次マニホルドへの高温空気または燃焼生成物の流動を阻止するように構成されており、
前記二次マニホルドは、前記二次ステージ弁と各隔離弁との間で前記複数の燃焼器組立体の動作圧力より高い圧力に加圧されて、上流への流体流が前記二次マニホルド内に入らないようにすることを容易にする、請求項４記載の燃料供給システム。
【請求項８】
複数の燃焼器組立体を含むガスタービンエンジンであり、前記燃焼器組立体の各々は少なくとも１つの燃料回路を含み、燃料供給システムが各燃料回路に燃料を供給する、ガスタービンエンジン内の燃料流を制御する方法であって、
第１の動作モードの間に、一次燃料回路経由で前記複数の燃焼器組立体の各々に燃料を供給するステップと、
第２の動作モードの間に、前記一次燃料回路および少なくとも１つの二次燃料回路経由で前記複数の燃焼器組立体の各々に燃料を供給するステップであり、前記少なくとも１つの二次燃料回路の各々は、二次マニホルドと、前記複数の燃焼器組立体の１つ及び前記二次マニホルドと流動連通して連結されている複数の隔離弁を含み、前記第１の動作モードの間に前記二次マニホルドは、前記一次燃料回路から隔離され、前記複数の隔離弁は、流体流が上流へ前記二次マニホルド内に入ることを阻止する、供給するステップと
を含む、方法。
【請求項９】
前記燃料供給システムは複数のステージ弁およびマニホルドをさらに含み、前記方法は
前記第１の動作モードの間に、一次ステージ弁を開いて、燃料が一次マニホルドを通って前記複数の燃焼器組立体に流動することを可能にするステップと、
前記第１の動作モードの間に、二次ステージ弁を開いて、燃料が二次マニホルド内に流入することを可能にするステップと、
前記第１の動作モードの間に、各隔離弁を閉じて、前記二次マニホルドを通る前記複数の燃焼器組立体への前記燃料流を阻止するステップと
をさらに含む、請求項８記載の方法。
【請求項１０】
前記燃料供給システムは複数のステージ弁およびマニホルドをさらに含み、前記方法は、
前記第２の動作モードの間に、一次ステージ弁を開いて、燃料が前記一次マニホルドを通って前記複数の燃焼器組立体に流動することを可能にするステップと、
前記第２の動作モードの間に、二次ステージ弁を開いて、燃料が前記二次マニホルドに流動することを可能にするステップと、
前記第２の動作モードの間に、各隔離弁を開いて、燃料が前記二次マニホルドを通って前記複数の燃焼器組立体へ流動することを可能にするステップと
をさらに含む、請求項８記載の方法。
【請求項１１】
前記燃料供給システムは複数のステージ弁およびマニホルドをさらに含み、前記方法は、
前記第２の動作モードから前記第１の動作モードへの移行中に、一次ステージ弁を開いて、燃料が前記一次マニホルドを通って前記複数の燃焼器組立体に流動することを可能にするステップと、
前記第２の動作モードから前記第１の動作モードへの移行中に、二次ステージ弁を閉じて、前記二次マニホルドへの前記燃料流を阻止するステップと、
前記第２の動作モードから前記第１の動作モードへの移行中に、各隔離弁を閉じて、前記複数の燃焼器組立体からの高温燃焼ガス流が前記二次燃料マニホルド内に入らないようにするステップと、
前記第１の動作モードの間に、前記二次ステージ弁と各隔離弁との間で前記二次マニホルドを前記複数の燃焼器組立体の前記動作圧力より高い圧力に加圧して、流体流が上流へ前記二次マニホルド内に入らないようにすることを容易にするステップと、
前記二次ステージ弁と前記隔離弁の各々との間で前記二次マニホルドに通気口を付けて、前記二次マニホルドから気体を除去するステップをさらに含む、請求項８乃至１０のいずれかに記載の方法。
【請求項１２】
複数の燃焼器組立体と、  第１の動作モードおよび第２の動作モードの間に、前記複数の燃焼器組立体の各々に燃料を継続的に供給するように構成されている一次燃料回路と、
前記第２の動作モードの間に、前記複数の燃焼器組立体の各々に燃料を供給するように構成されている少なくとも１つの二次燃料回路であり、二次マニホルドと複数の隔離弁とを含み、前記複数の隔離弁の各々が前記二次マニホルドと前記複数の燃焼器組立体の１つとに流動連通して連結され、前記複数の隔離弁は、流体流が上流へ前記二次マニホルド内に入ることを阻止する、少なくとも１つの二次燃料回路と
を含む、ガスタービンエンジン組立体。
【請求項１３】
前記少なくとも１つの隔離弁は、随意に、受動制御型逆止め弁または能動制御型作動弁であり、コントローラが前記作動弁を制御するように構成されている、請求項１２記載のガスタービンエンジン組立体。
【請求項１４】
前記少なくとも１つの隔離弁は、随意に、上流で前記二次燃料回路に連結されておりかつ前記複数の燃焼器組立体の各々に近接しているか、または前記少なくとも１つの隔離弁は、前記少なくとも１つの隔離弁が前記複数の燃焼器組立体の各々の内部で少なくとも１つの二次燃料ノズルに連結されているように、前記複数の燃焼器組立体の各々と一体である、請求項１２記載のガスタービンエンジン組立体。
【請求項１５】
複数のステージ弁およびマニホルドをさらに含み、前記第１の動作モードの間に、一次ステージ弁が開いて、燃料が一次マニホルドを通って前記複数の燃焼器組立体の各々に流動することを可能にするように構成されており、前記第１の動作モードの間に、二次ステージ弁が選択的に開いて、燃料が二次マニホルドに流動することを可能にし、前記第１の動作モードの間に、前記少なくとも１つの隔離弁の各々が閉じて、前記二次マニホルドから前記複数の燃焼器組立体への前記燃料流を阻止するように構成され、
複数のステージ弁およびマニホルドをさらに含み、前記第２の動作モードの間に、一次ステージ弁が開いて、燃料が一次マニホルドを通って前記複数の燃焼器組立体の各々に流動することを可能にするように構成されており、前記第２の動作モードの間に、二次ステージ弁が開いて、燃料が二次マニホルドに流動することを可能にするように構成されており、前記少なくとも１つの隔離弁の各々は、前記第２の動作モードの間に、選択的に開いて、燃料が前記二次燃料回路を通って前記複数の燃焼器組立体に流動することを可能にするように構成され、
複数のステージ弁およびマニホルドをさらに含み、前記第２の動作モードから前記第１の動作モードへの移行中に、一次ステージ弁が開いたままであり、燃料が一次マニホルドを通って前記複数の燃焼器組立体の各々に流動することを可能にするように構成されており、前記第２の動作モードから前記第１の動作モードへの移行中に、二次ステージ弁が閉じて、二次マニホルドへの前記燃料流を阻止するように構成されており、前記少なくとも１つの隔離弁の各々は選択的に閉じて、前記複数の燃焼器組立体からの高温燃焼生成物流が前記二次マニホルド内に入らないようにするように構成されている、請求項１２乃至１４のいずれかに記載のガスタービンエンジン組立体。